(57)【要約】【課題】入力画像を表示パネル上の任意の位置に表示するために、レイアウトを制御するための情報を含むコマンドを外部から供給することなしにレイアウトを観念的に設定可能とする表示装置及び表示方法を提供する。【解決手段】表示装置は、画像を表示する表示部と、前記表示部に前記画像を表示させる表示制御部と、第一の画像を入力する第一入力部と、設定画像を取得する取得部と、を備え、前記設定画像は、前記第一の画像の、前記表示部における表示領域を示す第一のオブジェクト画像を含み、前記表示制御部は、前記表示部において前記第一の画像を前記第一のオブジェクト画像の領域に表示させることを特徴とする。【選択図】図２
2019207349.tif 000002
【特許請求の範囲】
【請求項１】
画像を表示する表示部と、
前記表示部に前記画像を表示させる表示制御部と、
第一の画像を入力する第一入力部と、
設定画像を取得する取得部と、を備え、
前記設定画像は、前記第一の画像の、前記表示部における表示領域を示す第一のオブジェクト画像を含み、
前記表示制御部は、前記表示部において前記第一の画像を前記第一のオブジェクト画像の領域に表示させる
表示装置。
【請求項２】
前記第一のオブジェクト画像は、前記第一の画像を指定するためのテキスト画像を含む
請求項１の表示装置
【請求項３】
前記表示制御部は、前記設定画像の一部を少なくとも前記表示部の一部に表示させる
請求項１から２の表示装置。
【請求項４】
第二の画像を入力する第二入力部をさらに備え、
前記設定画像は、前記第二の画像の、前記表示部における表示領域を示す第二のオブジェクト画像をさらに含み、
前記表示制御部は、前記表示部において前記第二の画像を前記第二のオブジェクト画像の領域にさらに表示させる
請求項１から３の表示装置。
【請求項５】
前記設定画像は、
第三の画像と、
前記第三の画像の領域を示すテキスト画像と、
をさらに含み、
前記表示制御部は、前記設定画像のうち前記第三の画像の領域以外の画像に基づいて、前記表示部において前記第一の画像を前記第一のオブジェクト画像の領域に表示させる
請求項３の表示装置
【請求項６】
前記設定画像のうち、前記第一のオブジェクト画像の領域以外は、所定の色が設定されている
請求項１から２の表示装置。
【請求項７】
表示装置を制御する表示方法であって、
表示部に画像を表示させる表示制御ステップと、
第一の画像を入力する第一入力ステップと、
設定画像を取得する取得ステップと、を有し、
前記設定画像は、前記第一の画像の、前記表示部における表示領域を示す第一のオブジェクト画像を含み、
前記表示制御ステップは、前記表示部において前記第一の画像を前記第一のオブジェクト画像の領域に表示させる
表示方法。
【発明の詳細な説明】
【技術分野】
【０００１】
本発明は、画像を表示する表示装置に関し、詳しくは、入力画像を表示パネル上の任意の位置に表示する技術に関する。
【背景技術】
【０００２】
2018年12月の新4K8K衛星放送スタートに向け、BS・110度CSの試験放送が開始されてい
る。この動きにあわせてディスプレイの高解像度化が進んでおり、ノートPCなどからの入力画像を表示パネル上の任意の位置に表示し、空いたスペースに別の情報を表示するといった使い方が多くなっている。こうした中、入力画像や受信したコンテンツの画像等の表示位置を簡単に設定できれば便利である。
【０００３】
このような課題に対し、従来の技術（例えば特許文献１参照）では、映像表示装置はレイアウトを制御するための情報を含むコマンドを受信し、これに基づいて映像サイズと表示位置を決定し表示していた。
【先行技術文献】
【特許文献】
【０００４】
【特許文献１】特開2010-102053号公報
【発明の概要】
【発明が解決しようとする課題】
【０００５】
しかしながら、この技術ではレイアウトを制御するための情報を含むコマンドを外部から供給する必要があるため、表示パネル全体に対する映像の表示領域を指定し、表示パネルの解像度から表示領域の座標を計算し、コマンドの仕様に合うように座標を変換し、コマンドを生成し、専用のアプリケーションまたは機材を用いて映像表示装置に供給するといった煩雑な作業が必要であった。
【０００６】
このようなことから、レイアウトを制御するための情報を含むコマンドを外部から供給することなしにレイアウトを観念的に設定可能とする仕組みが求められていた。
【課題を解決するための手段】
【０００７】
本発明に係る表示装置は、画像を表示する表示部と、前記表示部に前記画像を表示させる表示制御部と、第一の画像を入力する第一入力部と、設定画像を取得する取得部と、を備え、前記設定画像は、前記第一の画像の、前記表示部における表示領域を示す第一のオブジェクト画像を含み、前記表示制御部は、前記表示部において前記第一の画像を前記第一のオブジェクト画像の領域に表示させることを特徴とする。
【０００８】
前記表示部において前記第一の画像を前記設定画像に含まれる前記第一のオブジェクト画像の領域に表示させるので、ユーザーは設定画像を観念的に作成すればよく、レイアウトを制御するための情報を含むコマンドを外部から供給することなしにレイアウトを観念的に設定することができる。
【０００９】
また、本発明に係る表示装置が取得する前記設定画像に含まれる前記第一のオブジェクト画像は、前記第一の画像を指定するためのテキスト画像を含むことを特徴とする。
【００１０】
前記第一の画像を指定するために、前記設定画像に含まれる前記第一のオブジェクト画像に前記第一の画像を指定するためのテキスト画像を含めればよいので、ユーザーは設定
画像を観念的に作成すればよく、レイアウトを制御するための情報を含むコマンドを外部から供給することなしにレイアウトを観念的に設定することができる。
【００１１】
また、本発明に係る表示装置が備える前記表示制御部は、前記設定画像の一部を少なくとも前記表示部の一部に表示させることを特徴とする。
【００１２】
前記設定画像の一部を少なくとも前記表示部の一部に表示させるので、前記第一の画像以外の領域に何か表示させたい場合、前記設定画像に含めることで表示できることから、より簡単に表示できる。
【００１３】
また、本発明に係る表示装置は、第二の画像を入力する第二入力部をさらに備え、前記設定画像は、前記第二の画像の、前記表示部における表示領域を示す第二のオブジェクト画像をさらに含み、前記表示制御部は、前記表示部において前記第二の画像を前記第二のオブジェクト画像の領域にさらに表示させることを特徴とする。
【００１４】
前記表示部において前記第二の画像を前記設定画像に含まれる前記第二のオブジェクト画像の領域に表示させるので、ユーザーは設定画像を観念的に作成すればよく、レイアウトを制御するための情報を含むコマンドを外部から供給することなしにレイアウトを観念的に設定することができる。
【００１５】
また、本発明に係る表示装置が備える前記設定画像は、第三の画像と、前記第三の画像の領域を示すテキスト画像と、をさらに含み、本発明に係る表示装置が備える前記表示制御部は、前記設定画像のうち前記第三の画像の領域以外の画像に基づいて、前記表示部において前記第一の画像を前記第一のオブジェクト画像の領域に表示させることを特徴とする。
【００１６】
前記設定画像のうち前記第三の画像の領域以外の画像に基づいて表示させるので、前記第三の画像に第一の画像を指定するためのテキスト画像と似た画像が含まれても、第一の画像を指定するためのテキスト画像であると誤認識することなく表示の制御を行うことができる。
【００１７】
また、本発明に係る表示装置が備える前記設定画像のうち、前記第一のオブジェクト画像の領域以外は、所定の色が設定されていることを特徴とする。
【００１８】
所定の色とすることで、第一のオブジェクト画像の認識を間違えにくくなりより精度の高い表示の制御を行うことができる。
【発明の効果】
【００１９】
本発明に係る表示装置によれば、レイアウトを制御するための情報を含むコマンドを外部から供給することなしにレイアウトを観念的に設定することができる。
【図面の簡単な説明】
【００２０】
【図１】本発明に係るテレビのブロック図である。
【図２】本発明に係るテレビの機能ブロック図である。
【図３】コンテンツＡを示す図である。
【図４】コンテンツＢを示す図である。
【図５】本発明に係る設定画像を示す図である。
【図６】本発明に係るテレビの表示部における表示例である。
【図７】本発明に係る設定画像を示す図である。
【図８】本発明に係るテレビの表示部における表示例である。
【図９】本発明に係る設定画像を示す図である。
【図１０】本発明に係る設定画像を示す図である。
【図１１】対応関係
【発明を実施するための形態】
【００２１】
本発明に係る表示装置は、レイアウトを制御するための情報を含むコマンドを外部から供給することなしにレイアウトを観念的に設定することができることを特徴とする。以下、実施例を図面に基づいて説明する。
【００２２】
なお、下記実施例で示される表示装置の全体構成及び各部の構成や、表示方法の処理手順や各処理の内容は、下記に述べる実施例に限定されるものではなく、本発明の技術的思想の範囲内、即ち、同一の作用効果を発揮できる範囲内で変更することができるものである。
（実施例１）
本発明である表示装置の一例であるテレビを説明する。なお、表示装置の例としてはテレビの他、モニター、電子黒板等が挙げられ、表示部に画像が表示できる機器が該当する。
（テレビの構成）
図１は、実施例１におけるテレビ１０１の概略構成を示すブロック図である。テレビ１０１は、同調を行うチューナー１１１、復調を行う復調部１１２、デスクランブルを行う暗号処理部（デスクランブル部）１１３、分離を行う分離部１１４、入力処理を行う入力処理部１１５、画像処理を行う画像処理部１１６、表示を行う表示部１１７、音声処理を行う音声処理部１１８、音声の再生を行う再生部１１９、通信を行う通信部１２０、リモコン信号を受光するリモコン受光部１２１、制御を行うCPU１２２（Central Processing Unit）、記憶を行うメモリ１２３、外部機器制御を行う外部機器制御部１２４、アンテナ入力端子１３１、イーサーネット端子１３２、USB端子１３３（Universal Serial Bus）
、及び、HDMI(登録商標)端子１３４ａ、１３４ｂ（High-Definition Multimedia Interface）（登録商標）を備える。
【００２３】
アンテナから同軸ケーブルを介してアンテナ入力端子１３１に入力された放送波はチューナー１１１に入力される。
【００２４】
チューナー１１１はユーザーの選局操作によって選択されたサービスが伝送される周波数（CPU１２２から指示される）に同調する。
【００２５】
復調部１１２はOFDM（Orthogonal Frequency Division Multiplexing）などのデジタル復調、デインターリーブ、及び、誤り訂正等の処理を行い、トランスポートストリームを出力する。
【００２６】
暗号処理部１１３ではコンテンツ保護のために暗号化されたデータを復号する。この時用いられる復号化のための鍵情報は、ＩＣカードＩＦ部１３５を介して接続されたＩＣカード（B-CAS（登録商標）カード）から取得し、それをCPU１２２によって暗号処理部１１３に与える。または、メモリ１２３内に暗号化されて保持している鍵情報をCPU１２２に
よって暗号処理部１１３に与える。
【００２７】
分離部１１４ではMPEG（Moving Picture Experts Group）規格によって定義されたトランスポートストリームから、ユーザーの選局操作によって選択されたサービスを構成するコンポーネント（映像・音声・データ放送・その他のデータ）を分離する。分離された各コンポーネント（エレメンタリーストリーム）のうち、映像、音声については画像処理部１１６、音声処理部１１８にそれぞれ送られる。画像処理部１１６、音声処理部１１８で
はMPEGによる復号処理を行う。復号処理が行われたあと、映像は表示部１１７にて表示され、音声は再生部１１９にて再生される。データ放送についてはCPU１２２にて処理され
、画像処理部１１６のバッファにデータ放送として描画される。描画されたデータ放送は、画像処理部１１６内で映像と組合せられる。映像と組み合わされたデータ放送は、表示部１１７にて表示される。
【００２８】
入力処理部１１５は、HDMI端子１３４ａ、１３４ｂから入力されたコンテンツの信号（画像や音声の信号）を受信し、画像は画像処理部１１６へ、音声は音声処理部１１８へ送る。HDMI端子１３４ａ、１３４ｂのうち、HDMI端子１３４ａは、HDMI入力１端子であり、HDMI端子１３４ｂは、HDMI入力２端子である。HDMI入力１端子１３４ａ、HDMI入力２端子１３４ｂの両方からコンテンツを入力することもできる。この場合は必要に応じ両方の画像を画像処理部１１６、両方の音声を音声処理部１１８に送る。
【００２９】
画像処理部１１６は、グラフィック描画用のバッファを１つ以上備え、表示部１１７に表示する表示画像を生成し、表示部１１７での画像の表示を制御する。詳細には、分離部１１４から出力された映像コンポーネント（エレメンタリーストリーム）をデコードしフレーム画像（放送映像）をフレームバッファ上に再現（生成）する。また、入力処理部１１５から送られてくる、HDMI端子１３４ａ、１３４ｂから入力された画像（外部入力画像）をバッファ上に再現（生成）する。HDMI入力１端子１３４ａ、HDMI入力２端子１３４ｂの両方からコンテンツを入力する場合は、必要に応じ両方の画像をそれぞれバッファ上に再現（生成）する。また、画像処理部１１６内のバッファにCPU１２２が描画を行うこと
により画像（内部生成画像）を生成する。これら放送映像、外部入力画像、内部生成映像について、必要に応じて必要な物を生成し、取捨選択し、組合せ（重畳し）表示画像を生成する。
【００３０】
放送を視聴する場合は、分離部１１４から出力された映像コンポーネントをデコードしてフレーム画像を生成する、CPU１２２にて処理されバッファに描画されたデータ放送、
その他、を組合せ、表示画像を生成する。その他としては、字幕、文字スーパー、EPG（Electronic Program Guide：電子番組表）、アプリケーション、メニュー画面、等がある
。字幕、文字スーパー、EPG、アプリケーション、メニュー画面は、CPU１２２によりバッファに描画され、映像、データ放送と組合せられる。
【００３１】
HDMI端子からのコンテンツを視聴する場合は、入力された画像を入力処理部１１５から受け取り、バッファに再現する。これとアプリケーション、メニュー画面等の画像を組合せ、表示画像を生成する。アプリケーション、メニュー画面等の画像はCPU１２２により
別のバッファに描画され、入力画像と組合せられる。
【００３２】
放送とHDMI端子からのコンテンツとを組み合わせて視聴することもできる。いわゆる２画面表示、多画面表示、PinP（Picture In Picture）表示である。この場合、CPU１２２
は、データ放送、字幕、文字スーパー、EPG（Electronic Program Guide：電子番組表）
、アプリケーション、メニュー画面、等をバッファに描画する。また、画像処理部１１６は、HDMI端子１３４ａ、１３４ｂから入力された画像を入力処理部１１５から受け取ってバッファに再現する。さらに画像処理部１１６は、分離部１１４からの映像をデコードして、以上の画像と合成し表示画像を生成する。
【００３３】
表示部１１７は、表示パネル、ドライバなどから構成され、画像処理部１１６で生成された画像を表示する。表示パネルの例としては液晶パネルが挙げられる。他、プラズマパネル、有機ELパネルなどであってももちろんよい。
【００３４】
音声処理部１１８は、再生部１１９にて再生する音声を生成し、再生部１１９からの音
声の再生を制御する。詳細には、分離部１１４から出力された音声コンポーネント（エレメンタリーストリーム）をデコードし音声（放送音声）を生成する。また、入力処理部１１５から送られてくる、HDMI端子１３４ａ、１３４ｂから入力された音声（外部入力音声）を再現（生成）する。また音声処理部１１８内のプロセッサに対しCPU１２２が指示を
行うことにより音声（内部生成音声）を生成する。これら放送音声、外部入力音声、内部生成音声について、必要に応じて必要な物を生成し、取捨選択し、組合せ（重畳し）、再生する音声を生成する。
【００３５】
放送を視聴する場合は、分離部１１４から出力された音声をデコードして音声を生成する。これにデータ放送による音声やアプリケーションの音声を生成し重畳して再生する音声を生成する。
【００３６】
HDMI端子からのコンテンツを視聴する場合は、入力された音声を入力処理部１１５から受け取り音声を再現（生成）する。これとアプリケーション等の音声を生成し重畳して再生する音声を生成する。
【００３７】
放送とHDMI端子からのコンテンツとを組み合わせて視聴する場合は、ユーザーのリモコン操作に基づいて放送の音声またはHIMI入力の音声の一方を再生する音声として生成する。放送の音声とHDMI入力の音声を共に生成したのち合成して再生する音声とすることもできる。
【００３８】
再生部１１９は音声を再生する。具体的にはスピーカーである。
【００３９】
通信部１２０は、インターネットに接続して通信を行う。イーサーネット端子１３２にイーサーネットケーブルを接続し、図示しないルーターを介しインターネットに接続する。また、IP放送の受信を行う。IP放送を受信する場合は、受信した信号からトランスポートストリームを取得し暗号処理部１１３に送る。
【００４０】
リモコン受光部１２１は図示しないリモコンから出力される赤外線を受光する。赤外線にはリモコンを操作することにより発生する操作情報が含まれ、操作情報はCPU１２２に
送られる。ユーザーはリモコンを用いて電源のオンオフ、チャンネルの切替えや、音量操作、テレビ１０１の各種設定メニューを操作することにより各種設定、などを行う。
【００４１】
メモリ１２３は、揮発性メモリと不揮発性メモリを含む。不揮発性メモリにはテレビ１０１の制御プログラム、各種設定内容が保存される。
【００４２】
CPU１２２はメモリ１２３に各種データを記憶させつつテレビ１０１全体の制御を行う
。
【００４３】
外部機器制御部１２４は、USB端子１３３に接続された図示しないUSB機器を制御する。USB端子１３３に図示しないUSBメモリが接続された場合はUSBメモリに対しデータの読み
出し処理、書き込み処理を行う。
【００４４】
図２は、実施例１におけるテレビ１０１の機能ブロック図である。
【００４５】
各機能ブロックは、図１のブロックのいずれかにより機能が実現されるか、または、複数のブロックが協調して動作することにより、機能が実現される。
【００４６】
テレビ１０１は、表示部２１７、表示制御部２１１、第一入力部２１２ａ、第二入力部２１２ｂ、取得部２１３を備える。
【００４７】
表示部２１７は、画像を表示する。表示部１１７が該当する。
【００４８】
取得部２１３は、設定画像を取得する。これはCPU１２２により実現される。設定画像
がUSBメモリに保存されている場合、外部機器制御部１２４が設定画像を読み出しCPU１２２が取得する。メモリ１２３に保存されている場合、CPU１２２が取得する（読み出す）
。ネットワーク上に置かれている場合、通信部１２０が読み出しCPU１２２が取得する。
外部機器からHDMIケーブル経由で供給される場合、設定画像は、HDMIケーブルが接続されているHDMI端子（１３４ａまたは１３４ｂ）から入力され、入力処理部１１５から画像処理部１１６に送られ、画像処理部１１６のバッファに再現され、ＣＰＵ１２２が取得する（画像処理部１１６のバッファから読み出す）。
【００４９】
第一入力部２１２ａは、第一の画像を入力する。第一の画像を入力する部分によって、第一入力部２１２ａは、HDMI入力１端子１３４ａ、HDMI入力２端子１３４ｂ、アンテナ入力端子１３１、イーサーネット端子１３２が該当する。
【００５０】
第二入力部２１２ｂは、第二の画像を入力する。第二の画像を入力する部分によって、第二入力部２１２ｂは、HDMI入力１端子１３４ａ、HDMI入力２端子１３４ｂ、アンテナ入力端子１３１、イーサーネット端子１３２が該当する。
【００５１】
表示制御部２１１は、表示部２１７に画像を表示させる制御を行う。主にCPU１２２と
画像処理部１１６が協調してこの機能を実現する。
【００５２】
図１１は、以上で説明した図２の部材と図１の部材との対応関係である。
（コンテンツ）
図３はコンテンツＡの画像３０１を示す図である。笑顔の人物がこちらを見ている画像である。
【００５３】
図４はコンテンツＢの画像４０１を示す図である。稜線が重なる山々の風景の画像である。
（設定画像）
図５は設定画像５０１ａを示す図である。設定画像５０１ａは、レイアウトを指定するための画像である。設定画像５０１ａは、第一のオブジェクト画像５１１、第二のオブジェクト画像５１２を含む。第一のオブジェクト画像５１１の領域は、表示部１１７における、第一の画像の表示領域を示している。同様に、第二のオブジェクト画像５１２の領域は、表示部１１７における、第二の画像の表示領域を示している。第一のオブジェクト画像５１１、第二のオブジェクト画像５１２は、それぞれ矩形である。第二のオブジェクト画像５１２は、設定画像の左から中央にかけて配置され、第一のオブジェクト画像５１１は、設定画像の残りの領域の下方（右下）に配置され、第一のオブジェクト５１１のサイズは第二のオブジェクト５１２より小さい。これは一例であり、第一または第二のオブジェクト画像は任意の位置でよく、サイズは任意のサイズでよく、同じサイズでもよく、大小関係が逆でもよい。また重なっていてもよい。
【００５４】
第一のオブジェクト画像５１１は、第一の画像を指定するためのテキスト画像５２１を含む。同様に、第二のオブジェクト画像５１２は、第二の画像を指定するためのテキスト画像５２２を含む。ここでテキスト画像とは、テキストの画像を意味する。本実施例では具体的にはそれぞれ「HDMI:1」、「地上D」を表す画像である。
【００５５】
表示制御部２１１は、設定画像５０１ａを画像解析し、第一のオブジェクト画像５１１を認識し、この中に含まれる第一の画像を指定するためのテキスト画像５２１を認識し、
第一の画像を指定するためのテキストを認識する。同様に、第二のオブジェクト画像５１２を認識し、この中に含まれる第二の画像を指定するためのテキスト画像５２２を認識し、第二の画像を指定するためのテキストを認識する。第一の画像を指定するためのテキストや第二の画像を指定するためのテキスト（キーワード）の種類は、予め商品仕様として決められている。例えば「地上D」、「HDMI:1」、「HDMI:2」、「IPTV」がキーワードと
して定義されている。テキストを認識した結果がこれらのキーワードであった場合、それぞれ、アンテナ入力端子１３１からの入力画像、HDMI入力１端子１３４ａからの入力画像、HDMI入力２端子１３４ｂからの入力画像、イーサーネット端子１３２からの入力画像が指定されたものと認識する。本実施例では、具体的には、第一の画像、第二の画像として、HDMI入力１端子１３４ａからの入力画像、アンテナ入力端子１３１からの入力画像が指定されたと認識する。
【００５６】
また、表示制御部２１１は、画像解析により、設定画像５０１ａにおける、第一のオブジェクト画像５１１、第二のオブジェクト画像５１２の領域を認識する。具体的には、設定画像５０１ａの左上を原点とし、右方向をx軸の正の方向、下方向をy軸の正の方向とした場合の、矩形のオブジェクト画像の右辺、左辺のx座標、上辺、下辺のy座標、設定画像５０１ａの右下のx、y座標を画像解析により推定、認識する。または、矩形のオブジェクト画像の右上と左下のx、y座標、設定画像５０１ａの右下と左下のx、y座標を画像解析により推定、認識してもよい。
（コンテンツと設定画像の供給）
実施例１では、コンテンツＡはHDMI入力１端子１３４ａから、コンテンツＢはアンテナ入力端子１３１から入力されている。また、設定画像５０１ａはHDMI入力２端子１３４ｂから入力されている、CPU１２２は入力された設定画像５０１ａを取得する。
（設定画像に基づいた表示）
図６はテレビ１０１の表示部１１７における表示例である。表示部１１７において、コンテンツＢの画像４０１（風景の画像）は、表示部１１７の左から中央にかけて表示され、コンテンツＡの画像３０１（人物の画像）は、表示部１１７の残りの領域の下方（右下）に表示され、コンテンツＡの画像３０１はコンテンツＢの画像４０１より小さく表示されている。表示部１１７に対するコンテンツＡの画像３０１とコンテンツＢの画像４０１の位置と大きさは、設定画像５０１ａに対する第一のオブジェクト画像５１１と第二のオブジェクト画像５１２の位置と大きさにそれぞれ基づいて、表示制御部２１１が決める。表示部１１７に対するコンテンツＡの画像３０１とコンテンツＢの画像４０１の領域は、設定画像５０１ａに対する第一のオブジェクト画像５１１と第二のオブジェクト画像５１２の領域にそれぞれ基づいて、表示制御部２１１が決めるとも言える。
【００５７】
表示制御部２１１は、表示部１１７において第一の画像を第一のオブジェクト画像５１１の領域に表示させる。また、表示制御部２１１は、表示部１１７において第二の画像を第二のオブジェクト画像５１２の領域に表示させる。
【００５８】
具体的に本例では、表示制御部２１１は、第一のオブジェクト画像５１１には第一の画像を指定するためのテキスト画像５２１として「HDMI:1」が含まれているのでこれを認識し、HDMI入力１端子１３４ａ（第一入力部）からの入力画像であるコンテンツＡの画像３０１（人物の画像）を第一の画像として表示する。この際、表示部１１７に対するコンテンツＡの画像３０１の領域の位置と大きさは、設定画像５０１ａに対する第一のオブジェクト画像５１１の領域の位置と大きさの関係となるよう表示する。
【００５９】
また、表示制御部２１１は、第二のオブジェクト画像５１２には第二の画像を指定するためのテキスト画像５２２として「地上D」が含まれているのでこれを認識し、アンテナ
入力端子１３１（第二入力部）からの入力画像であるコンテンツＢの画像４０１（風景の画像）を第二の画像として表示する。この際、表示部１１７に対するコンテンツＢの画像
４０１の領域の位置と大きさは、設定画像５０１ａに対する第二のオブジェクト画像５１２の領域の位置と大きさの関係となるよう表示する。
（実施例１の作用効果）
本実施例のテレビ１０１は、設定画像５０１ａに含まれる第一のオブジェクト画像５１１の領域にコンテンツＡの画像３０１（人物の画像）を表示させ、第二のオブジェクト画像５１２の領域にコンテンツＡの画像４０１（風景の画像）を表示させる。また、設定画像５０１ａはHDMI入力２端子１３４ｂからテレビ１０１に入力すればよい。よって、ユーザーは、オフィスにあるPC（パーソナルコンピューター）等に含まれている事の多い汎用のアプリケーション等で設定画像５０１ａを観念的に作成するだけで事足りる。また、通常オフィスでプレゼンテーションを行うために外部ディスプレイに表示させる場合と同様にして、この設定画像５０１ａを、テレビ１０１に入力すればよい。これだけの手順で、図６に示されるような詳細にカスタマイズされた複雑なレイアウトでコンテンツを表示できる。ユーザーは、レイアウトを制御するための情報を含むコマンドを外部から供給することなしにレイアウトを観念的に設定することができる。
【００６０】
また、本実施例のテレビ１０１は、HDMI入力１端子１３４ａからの入力画像が第一の画像であると指定するために、設定画像５０１ａに含まれる第一のオブジェクト画像５１１に第一の画像を指定するためのテキスト画像５２１として「HDMI:1」を含めればよい。よって、同様に汎用のアプリケーション等で設定画像５０１ａを観念的に作成するだけで事足りる。ユーザーは、レイアウトを制御するための情報を含むコマンドを外部から供給することなしにレイアウトを観念的に設定することができる。
（実施例２）
次に、実施例２について説明する。実施例２は実施例１と同じくテレビ１０１である。概略構成を示すブロック図、機能ブロック図は実施例１と同じ図１、図２に示すものである。
【００６１】
実施例２は、実施例１とくらべ、表示制御部２１１の動作が異なる。実施例２の表示制御部を以下、表示制御部２１１’と表記する。表示制御部２１１’は、設定画像の一部を少なくとも表示部１１７の一部に表示させる。具体的な動作について、設定画像とこれに基づいた表示を例示して以下説明する。
【００６２】
図７は、実施例２の設定画像５０１ｂを示す図である。
【００６３】
設定画像５０１ｂは、第三の画像７１１を含む。第三の画像７１１は、こちらを向いている人物が顔の右（紙面左）に立方体を持ちあげている画像である。これ以外は実施例１の設定画像５０１ａと同じである。
【００６４】
図８は、実施例２の場合のテレビ１０１の表示部１１７における表示例である。第三の画像７１１が表示部１１７に表示されている。これ以外は実施例１の表示例図６と同じである。
【００６５】
表示制御部２１１’は、表示部１１７において、設定画像５０１ｂを全画面で表示する。設定画像５０１ｂは第三の画像７１１を含むので、これにより第三の画像７１１が表示される。さらに、表示制御部２１１’は、設定画像５０１ｂの上に重なるように、第一の画像（コンテンツＡの画像３０１（人物の画像））と第二の画像（コンテンツＢの画像４０１（風景の画像））を表示する。第一の画像と第二の画像の特定の方法や、第一の画像と第二の画像の表示領域の決め方は実施例１と同じである。
【００６６】
ここで、第三の画像７１１は設定画像５０１ｂの一部である。また、表示制御部２１１’の上記処理により、第三の画像７１１は、表示部１１７のうち、第一の画像の領域以外
、かつ、第二の画像の領域以外、の領域、すなわち表示部１１７の一部に、少なくとも表示される。よって、表示制御部２１１’は、設定画像５０１ｂの一部を少なくとも表示部１１７の一部に表示させている。
（実施例２の作用効果）
本実施例のテレビ１０１は、設定画像５０１ｂの一部を少なくとも表示部１１７の一部に表示する。よって、第一の画像と第二の画像以外の領域に第三の画像のように何か表示させたい場合、設定画像５０１ｂに第三の画像を含めることで表示でき、よって、ユーザーは、オフィスにあるPC（パーソナルコンピューター）等に含まれている事の多い汎用のアプリケーション等で設定画像５０１ｂを観念的に作成するだけで事足り、より簡単に表示できる。
（実施例３）
次に、実施例３について説明する。実施例３は実施例２と同じくテレビ１０１である。概略構成を示すブロック図、機能ブロック図は実施例２と同じ図１、図２に示すものである。
【００６７】
実施例３は、実施例２とくらべ、表示制御部２１１の動作が異なる。実施例３の表示制御部を以下、表示制御部２１１’’と表記する。表示制御部２１１’’は、設定画像のうち第三の画像の領域以外の画像に基づいて、表示部１１７において第一の画像を第一のオブジェクト画像の領域に表示し、または、表示部１１７において第二の画像を第二のオブジェクト画像の領域に表示する。具体的な動作について、設定画像とこれに基づいた表示を例示して以下説明する。
【００６８】
図９は、実施例３の設定画像５０１ｃを示す図である。
【００６９】
設定画像５０１ｃは、実施例２と同じく、第三の画像７１１を含む。破線９１１で示しているのは第三の画像の領域９１１である。破線９１１は概念を示しており、設定画像５０１ｃに含まれる画像ではない。第三の画像の内容、第三の画像が設定画像５０１ｃにおいて占める領域９１１（すなわち位置と大きさ）は、実施例２と同じである。
【００７０】
設定画像５０１ｃは、第三の画像の領域９１１を示すテキスト画像９１２を含む。テキスト画像９１２は、<img topleft=(0.708, 0.184) bottomright=(0.939, 0.579)>という
テキストの画像である。このテキストは、第三の画像の領域９１１の左上のx、y座標が(0.708, 0.184)、右下のｘ、ｙ座標が(0.939, 0.579)であることを示している。ここで左上、右下のx座標は設定画像５０１ｃの幅921aを１とした場合の設定画像５０１ｃの左辺か
らのそれぞれの距離921b、921cとして定義される。また左上、右下のy座標は設定画像５
０１ｃの高さ931aを１とした場合の設定画像５０１ｃの上辺からのそれぞれの距離931b、931cとして定義される。この定義は一例であって、別の定義も当然あり得る。
【００７１】
実施例３の場合のテレビ１０１の表示部１１７における表示例は、実施例２と同じであり図８のようになる。
【００７２】
表示制御部２１１’’は、設定画像のうち第三の画像の領域以外の画像に基づいて、第一の画像または第二の画像を表示する。実施例３ではこの一例として、第三の画像の領域を示すテキスト画像９１２に基づいて、第一の画像または第二の画像を表示する。具体的には以下のように動作する。
【００７３】
まず、設定画像５０１ｃを画像解析し、第三の画像の領域を示すテキスト画像９１２を認識し、第三の画像の領域を示すテキストを認識し、この際に判明した座標から第三の画像の領域を認識する。この際、予め定義されたテキストのフォーマットを元に認識する。実施例３では、<img topleft=(「数値」, 「数値」) bottomright=(「数値」, 「数値」)
>というフォーマットが定義されている。これは商品仕様として定義されている。異なる
定義でも当然よいし、複数のフォーマットが定義されていてもよい。
【００７４】
次に、第三の画像の領域を示すテキスト画像９１２が、第三の画像の領域９１１以外に存在するかチェックする。結果、第三の画像の領域９１１以外に存在しない場合は、実施例２と同じ動作を行う。
【００７５】
チェックの結果、第三の画像の領域を示すテキスト画像９１２が、第三の画像の領域９１１以外に存在する場合は、第三の画像の領域９１１以外について画像処理を行い、第一のオブジェクト画像５１１、第二のオブジェクト画像５１２を認識し、これらの中にそれぞれ含まれる、第一の画像を指定するためのテキスト画像５２１、第二の画像を指定するためのテキスト画像５２２を認識し、第一の画像を指定するためのテキスト、第二の画像を指定するためのテキストを認識する。これによって、第三の画像の領域９１１に、第一の画像を指定するためのテキストや第二の画像を指定するためのテキスト、例えば「地上D」、「HDMI:1」、「HDMI:2」、「IPTV」が万一含まれても、誤認識することが無くなる
。
【００７６】
次に、表示制御部２１１’’は、表示部１１７において、第三の画像７１１を表示する。第三の画像の領域の位置と大きさ（すなわち左上の座標と右下の座標）は認識済みであり、表示部１１７に対する第三の画像の領域の位置と大きさは、設定画像５０１ｃに対する第三の画像の領域の位置と大きさの関係となるよう表示する。さらに、表示制御部２１１’’は、第一の画像（コンテンツＡの画像３０１（人物の画像））と第二の画像（コンテンツＢの画像４０１（風景の画像））を表示する。第一の画像と第二の画像の特定の方法や、第一の画像と第二の画像の表示領域の決め方は実施例２と同じである。
【００７７】
以上が実施例３の表示制御部２１１’’の動作である。
（実施例３の作用効果）
設定画像５０１ｃにおいて、第三の画像の領域９１１に、第一の画像を指定するためのテキストや第二の画像を指定するためのテキスト、例えば「地上D」、「HDMI:1」、「HDMI:2」、「IPTV」が含まれても、誤認識することが無くなる。これは、ユーザーが設定画
像５０１ｃを作成する際の自由度を高めることに寄与する。設定画像５０１ｃに含める第三の画像７１１が静止画でかつ設定画像５０１ｃを作成した際によくチェックすれば、誤認識の問題は起こらない。しかし第三の画像として映像を表示させたい場合、それも蓄積された映像ではなく、放送中の映像を表示させたい場合、事前にチェックできない。このような場合に本例では誤認識の可能性を排除できる。ユーザーは、設定画像５０１ｃを作成する際、第三の画像の領域９１１に放送中の映像を表示するように設定し、第三の画像の領域９１１以外の領域に、第三の画像の領域を示すテキスト画像９１２を配置する。さらに、ユーザーは設定画像５０１ｃをPC等で表示させる。この際、第三の画像の領域９１１に放送中の映像を表示するようにして設定画像５０１ｃをPC等で表示させる。この設定画像５０１ｃをHDMIケーブルでテレビ１０１へ供給する。これだけの簡単な操作で、図８に示されるような詳細にカスタマイズされた複雑なレイアウトで映像入りのコンテンツを表示できる。
（実施例４）
次に、実施例４について説明する。実施例４は実施例１と同じくテレビ１０１である。概略構成を示すブロック図、機能ブロック図は実施例１と同じ図１、図２に示すものである。実施例４は、実施例１とくらべ、設定画像に特徴がある。これに伴い、表示制御部２１１の動作が異なる。実施例４の表示制御部を以下、表示制御部２１１’’’と表記する。具体的な動作について、設定画像とこれに基づいた表示を例示して以下説明する。
【００７８】
図１０は、実施例４の設定画像５０１ｄを示す図である。設定画像５０１ｄのうち、第
一のオブジェクト画像５１１の領域以外、かつ、第二のオブジェクト画像５１２の領域以外、の領域、すなわち背景１００１の領域は、所定の色が設定されている。これ以外は実施例１の設定画像５０１ａと同じである。
【００７９】
実施例４の場合のテレビ１０１の表示部１１７における表示例は、実施例１と同じであり図６のようになる。
【００８０】
表示制御部２１１’’’は、実施例と同じく、表示部１１７において第一の画像を第一のオブジェクト画像５１１の領域に表示させる。また、表示制御部２１１’’’は、表示部１１７において第二の画像を第二のオブジェクト画像５１２の領域に表示させる。
【００８１】
これを実現するために、表示制御部２１１’’’は、設定画像５０１ｄを画像解析し、第一のオブジェクト画像５１１、第二のオブジェクト画像５１２を認識し、設定画像５０１ｄにおける、第一のオブジェクト画像５１１、第二のオブジェクト画像５１２の領域を認識する。この際、所定の色の領域であれば背景であると仮定して画像解析を行う。この点が実施例１の表示制御部２１１と異なる。これにより、画像解析の精度が高くなる。
（実施例４の作用効果）
設定画像５０１ｄのうち、第一のオブジェクト画像５１１の領域以外、かつ、第二のオブジェクト画像５１２の領域以外、の領域、すなわち背景１００１の領域について、所定の色を設定することで、第一のオブジェクト画像の認識を間違えにくくなりより精度の高い表示の制御を行うことができる。
（実施例の変形）
本発明に係る表示装置及び表示方法は、上述の各実施例に限定されず、本発明の技術的思想の範囲内において、各種の変形や、各実施例の組み合わせ等の変更によって得られる構成は本発明に含まれるものである。
【産業上の利用可能性】
【００８２】
本発明は、画像を表示する表示装置に関し、詳しくは、入力画像を表示パネル上の任意の位置に表示する表示装置及び表示方法に関するものであり、産業上の利用可能性は高いと解する。
【符号の説明】
【００８３】
１０１  テレビ
１１１  チューナー
１１２  復調部
１１３  暗号処理部
１１４  分離部
１１５  入力処理部
１１６  画像処理部
１１７、２１７  表示部
１１８  音声処理部
１１９  再生部
１２０  通信部
１２１  リモコン受光部
１２２  ＣＰＵ
１２３  メモリ
１２４  外部機器制御部
１３１  アンテナ入力端子
１３２  イーサーネット端子
１３３  USB端子
１３４ａ、１３４ｂ  HDMI端子
１３５  ICカードIF部
２１１  表示制御部
２１２ａ  第一入力部
２１２ｂ  第二入力部
２１３  取得部
３０１  コンテンツＡの画像
４０１  コンテンツＢの画像
５０１ａ、５０１ｂ、５０１ｃ、５０１ｄ  設定画像
５１１  第一のオブジェクト画像
５１２  第二のオブジェクト画像
５２１  テキスト画像
５２２  テキスト画像
７１１  第三の画像
９１１  第三の画像の領域
９１２  テキスト画像
９２１ａ、９２１ｂ、９２１ｃ  ｘ座標
９３１ａ、９３１ｂ、９３１ｃ  ｙ座標
１００１  背景
【図１】
2019207349.tif 000003
【図２】
2019207349.tif 000004
【図３】
2019207349.tif 000005
【図４】
2019207349.tif 000006
【図５】
2019207349.tif 000007
【図６】
2019207349.tif 000008
【図７】
2019207349.tif 000009
【図８】
2019207349.tif 000010
【図９】
2019207349.tif 000011
【図１０】
2019207349.tif 000012
【図１１】
2019207349.tif 000013